(57)【要約】【課題】容易にかつ低コストで得られ、かつ足への苦痛が少ない釣り用ブーツ２の提供。【解決手段】ブーツ２は、本体４、アウトソール６、裏当て８、縁飾り１０、スペーサー１２及びインソール１４を備えている。本体４は、ポリ塩化ビニルを基材とする樹脂組成物からなる。裏当て８は、基布２２とスポンジ層２４とからなる。このスポンジ層２４は、多数の気泡を含む。このブーツ２の製造では、靴下の類似の形状を有する裏当て８によって、ラストが覆われる。この裏当て８及びラストは、型に挿入される。この型に、溶融樹脂組成物が注入される。この溶融樹脂組成物が冷却されて、本体４が成形される。裏当て８は、溶融樹脂組成物と当接するので、この裏当て８は本体４に融着される。この型にさらに他の樹脂組成物が注入され、アウトソール６が成形される。【選択図】図２
2010162259.tif 000002
【特許請求の範囲】
【請求項１】
本体と、裏当てとを備えており、
上記本体が、アッパーと、このアッパーと一体成形されたボトムとを有しており、
上記裏当てが、上記本体の内面に融着されており、かつスポンジ層を含んでいる釣り用履き物。
【請求項２】
アウトソールをさらに有しており、このアウトソールが上記ボトムに接合されている請求項１に記載の履き物。
【請求項３】
スペーサーとインソールとをさらに有しており、
上記スペーサーが、裏当てに接合され、かつ踵側に位置しており、
上記インソールが、上記スペーサーの上に載置されている請求項１又は２に記載の履き物。
【請求項４】
上記裏当てがメリヤスからなる基布をさらに含んでおり、この基布と本体とによってスポンジ層が挟まれている請求項１から３のいずれかに記載の履き物。
【請求項５】
スポンジ層を含む裏当てによってラストが覆われる工程、
この裏当て及びラストが型に挿入される工程、
この型に流動性ポリマー組成物が注入される工程、
及び
このポリマー組成物が固化してアッパーを有する本体が成形され、かつこの本体の内面に裏当てが融着される工程
を含む釣り用履き物の製造方法。
【請求項６】
上記型に他の流動性ポリマー組成物が注入される工程、
及び
このポリマー組成物が固化してアウトソールが成形され、かつこのアウトソールが上記本体に融着される工程
をさらに含む請求項５に記載の製造方法。
【発明の詳細な説明】
【技術分野】
【０００１】
本発明は、ブーツのような、釣り人に着用される履き物に関する。詳細には、本発明は、本体と、スポンジの裏当てとを備えた履き物に関する。
【背景技術】
【０００２】
釣りに、ブーツが利用されている。ブーツは、本体と裏当てとを備えている。本体には、天然ゴムのようなゴム又はポリ塩化ビニルのような合成樹脂が用いられている。裏当ては、本体の内面に接合されている。裏当ては、ブーツの着脱のときの足の滑りに寄与する。裏当てを備えたブーツの着脱は、容易である。
【０００３】
釣りは、磯、岸壁のような斜面でなされることが多い。釣り人は、同じ足場に長時間立ち続ける。このとき、ブーツが釣り人の足を局所的に圧迫する。この圧迫により、釣り人は足に苦痛を感じる。釣り人が、ポイント移動の目的で長距離を歩行することがある。歩行のとき、足がブーツと擦れ合う。この擦れ合いによっても、釣り人は足に苦痛を感じる。
【０００４】
裏当てとしてスポンジが用いられたブーツがある。スポンジはクッション性に富む。このスポンジよって足の苦痛が和らげられる。この裏当ては、ブーツ本体の内面に接着剤で接合される。本体は三次元形状であり裏当ても三次元形状なので、この接合作業は容易ではない。この作業には、手間がかかる。
【０００５】
本体の架橋時に裏当てが発泡して得られたブーツがある。このブーツの製造では、本体用のゴム組成物と裏当て用のゴム組成物とが積層される。本体用のゴム組成物は、発泡剤を含まない。裏当て用のゴム組成物は、発泡剤を含む。架橋時の加熱によって発泡剤が発泡し、気泡を含んだ裏当てが得られる。このブーツでは、裏当てが足の苦痛を和らげる。このブーツの製造では、本体と裏当てとの、接着剤による接合は不要である。このブーツの製造には、熟練した技量は不要である。この製造方法は、「同時発泡法」と称されている。
【０００６】
本体が射出成形法で成形されたブーツがある。射出成形法では、流動性のポリマー組成物（典型的には溶融樹脂組成物）が、型に注入される。射出成形法により、短時間で本体が成形されうる。射出成形法は、生産性に優れる。比較的低価格であるブーツには、射出成形法が好んで用いられている。
【発明の概要】
【発明が解決しようとする課題】
【０００７】
本体が射出成形法で得られるブーツでは、同時発泡法は採用され得ない。このブーツでは、本体の成形の後に、この本体の内面に接着剤で裏当てが接合される。前述の通り、この接合作業には手間がかかる。
【０００８】
本発明の目的は、容易にかつ低コストで得られ、かつ足への苦痛が少ない釣り用履き物の提供にある。
【課題を解決するための手段】
【０００９】
本発明に係る釣り用履き物は、本体と裏当てとを備える。この本体は、アッパーと、このアッパーと一体成形されたボトムとを有する。裏当ては、本体の内面に融着されている。この裏当ては、スポンジ層を含む。
【００１０】
好ましくは、この履き物は、アウトソールをさらに有する。このアウトソールは、ボトムに接合されている。
【００１１】
好ましくは、この履き物は、スペーサーとインソールとをさらに有する。このスペーサーは、裏当てに接合される。スペーサーは、踵側に位置する。インソールは、スペーサーの上に載置される。
【００１２】
好ましくは、裏当ては、メリヤスからなる基布をさらに含む。この基布と本体とにより、スポンジ層が挟まれている。
【００１３】
本発明に係る釣り用履き物の製造方法は、
スポンジ層を含む裏当てによってラストが覆われる工程、
この裏当て及びラストが型に挿入される工程、
この型に流動性ポリマー組成物が注入される工程、
及び
このポリマー組成物が固化してアッパーを有する本体が成形され、かつこの本体の内面に裏当てが融着される工程
を含む。
【００１４】
好ましくは、この製造方法は、
型に他の流動性ポリマー組成物が注入される工程、
及び
このポリマー組成物が固化してアウトソールが成形され、かつこのアウトソールが上記本体に融着される工程
をさらに含む。
【発明の効果】
【００１５】
本発明に係る釣り用履き物では、スポンジ層を含む裏当てにより、足への苦痛が和らげられる。このブーツでは、本体と裏当てとの積層が容易になされる。このブーツは、低コストで得られうる。
【図面の簡単な説明】
【００１６】
【図１】図１は、本発明の一実施形態に係る釣り用履き物としてのブーツが示された斜視図である。
【図２】図２は、図１のブーツが示された鉛直方向に沿った断面図である。
【図３】図３は、図２のIII−III線に沿った断面図である。
【図４】図４は、図２のブーツのスペーサーが示された拡大斜視図である。
【図５】図５は、図１のブーツの製造に用いられるラストが示された正面図である。
【図６】図６は、図５のVI−VI線に沿った拡大断面図である。
【図７】図７は、図５のラストが裏当てに覆われた状態が示された正面図である。
【図８】図８は、図７のVIII−VIII線に沿った拡大断面図である。
【図９】図９は、図５のラストが裏当て及び型と共に示された拡大断面図である。
【発明を実施するための形態】
【００１７】
以下、適宜図面が参照されつつ、好ましい実施形態に基づいて本発明が詳細に説明される。
【００１８】
図１から３に示されたブーツ２は、本体４、アウトソール６、裏当て８、縁飾り１０、スペーサー１２及びインソール１４を備えている。
【００１９】
本体４は、ポリマー組成物からなる。この実施形態では、本体４の基材ポリマーは、熱可塑性樹脂である。典型的には、本体４にポリ塩化ビニル（ＰＶＣ）が用いられる。ポリ塩化ビニルは、柔軟性及び強度に優れる。
【００２０】
本体４は、アッパー１６とボトム１８とからなる。アッパー１６は、着用者の脛及び甲に相当する。ボトム１８は、着用者の足の裏に相当する。ボトム１８は、アッパー１６と一体成形されている。
【００２１】
アウトソール６は、地面と当接する。アウトソール６の底面には、多数の溝２０が形成されている。この溝２０は、アウトソール６の地面とのスリップを抑制する。アウトソール６は、樹脂組成物又は架橋されたゴム組成物からなる。成形の容易の観点から、樹脂組成物が好ましい。典型的には、本体４と同様、アウトソール６にポリ塩化ビニル（ＰＶＣ）が用いられる。アウトソール６は、ボトム１８と接合されている。後述されるように、融着によって接合が達成される。
【００２２】
裏当て８は、本体４の内面に接合されている。後述されるように、融着によって接合が達成される。図２に示されるように、裏当て８は、基布２２とスポンジ層２４とからなる。スポンジ層２４は、基布２２と積層されている。スポンジ層２４は、接着剤によって基布２２に接合されている。本体４にはスポンジ層２４が当接している。換言すれば、スポンジ層２４は、本体４と基布２２とに挟まれている。
【００２３】
スポンジ層２４は、気泡を含むポリマー成形体である。スポンジ層２４が独立気泡を含んでもよく、連続気泡を含んでもよい。このスポンジ層２４は、クッション性に富む。スポンジ層２４により、着用者の苦痛が和らげられる。クッション性の観点から、スポンジ層２４の厚みは２ｍｍ以上が好ましく、３ｍｍ以上が特に好ましい。厚みは１０ｍｍ以下が好ましく、５ｍｍ以下が特に好ましい。
【００２４】
基布２２は、スポンジ層２４を保護する。基布２２はさらに、着脱時の足の滑りにも寄与する。典型的には、基布２２にはメリヤスが用いられる。メリヤスは、伸縮性に富む。メリヤスからなる基布２２は、スポンジ層２４によるクッション性を阻害しない。基布２２に織布が用いられてもよい。
【００２５】
縁飾り１０は、合成皮革又は人口皮革からなる。縁飾り１０は、本体４の上端を覆っている。縁飾り１０はさらに、裏当て８の上端を覆っている。縁飾り１０は、裏当て８を保護する。縁飾り１０は、糸によって本体４及び裏当て８に縫い付けられている。
【００２６】
スペーサー１２は、本体４に収容されている。スペーサー１２は、踵側に位置している。爪先側には、スペーサー１２は存在しない。スペーサー１２は、接着剤により、又は融着により、裏当て８に接合されている。図４には、このスペーサー１２が示されている。このスペーサー１２は、複数の縦リブ２６と複数の横リブ２８とからなる。これらのリブ２６、２８は、格子状に配置されてる。スペーサー１２は、樹脂組成物からなる。典型的には、スペーサー１２にポリ塩化ビニルが用いられる。好ましくは、スペーサー１２は、射出成形法によって得られる。
【００２７】
インソール１４は、概して板状である。インソール１４は、本体４に収容されている。インソール１４の踵側はスペーサー１２に載置されており、インソール１４の爪先側は本体４のボトム１８に載置されている。スペーサー１２により、インソール１４は概して前下がりに配置されている。この前下がりにより、釣り人は快適な姿勢を保つことが出来る。
【００２８】
このブーツ２の製造では、ラスト３０が準備される。図５は、このラスト３０が示された正面図である。図６は、図５のVI−VI線に沿った断面図である。このラスト３０が、図７及び８に示されるように、裏当て８に覆われる。裏当て８は、靴下に類似の形状である。図９に示されるように、裏当て８に覆われたラスト３０が、型３２に挿入される。換言すれば、ラスト３０は中子として用いられる。図９から明らかなように、型３２のキャビティ面３４と裏当て８の間には、スペースが形成される。
【００２９】
一方、熱可塑性樹脂（典型的にはポリ塩化ビニル）、着色剤等が混練され、樹脂組成物が得られる。この樹脂組成物が射出成形機に投入され、溶融される。この溶融樹脂組成物は、キャビティに注入される。樹脂組成物は、型３０のキャビティ面３４と裏当て８との間のスペースに充填される。溶融樹脂組成物は、裏当て８と当接する。この樹脂組成物が冷却・固化され、アッパー１６及びボトム１８からなる本体４が得られる。裏当て８は、この本体４に融着される。さらに、他の溶融樹脂組成物が型に注入され、冷却・固化されてアウトソール６が形成される。このアウトソール６は、本体４のボトム１８と融着される。他の流動性ポリマー組成物（例えば未架橋ゴム組成物）が、型３０に注入されてもよい。
【００３０】
この本体４に、スペーサー１２が収容される。このスペーサー１２は、裏当て８と接合される。この本体４に、縁飾り１０が縫い付けられる。この本体４にさらにインソール１４が収容され、ブーツ２が完成する。
【００３１】
この製造方法では、裏当て８が本体４と融着される。従って、接着剤による接合のような、熟練した技量は不要である。この製造方法では、射出成形法が採用されているので、高い生産性が達成される。この製造方法により、着用者に苦痛を与えないブーツ２が、容易にかつ低コストで得られうる。
【００３２】
このブーツ２にトラウザーが取り付けられ、ウェーダーが構成されてもよい。
【産業上の利用可能性】
【００３３】
本発明に係る釣り用履き物は、種々の釣り場において利用されうる。
【符号の説明】
【００３４】
２・・・ブーツ
４・・・本体
６・・・アウトソール
８・・・裏当て
１０・・・縁飾り
１２・・・スペーサー
１４・・・インソール
１６・・・アッパー
１８・・・ボトム
２０・・・溝
２２・・・基布
２４・・・スポンジ層
２６・・・縦リブ
２８・・・横リブ
３０・・・ラスト
３２・・・型
３４・・・キャビティ面
【図１】
2010162259.tif 000003
【図２】
2010162259.tif 000004
【図３】
2010162259.tif 000005
【図４】
2010162259.tif 000006
【図５】
2010162259.tif 000007
【図６】
2010162259.tif 000008
【図７】
2010162259.tif 000009
【図８】
2010162259.tif 000010
【図９】
2010162259.tif 000011